(57)【要約】  部屋の音響特性を改善し、これに応じて音源によって発生し、室内に位置する聴取者の耳によって検知される音の明瞭度（例えば、温かさ、豊かさ及び詳細さ）を改善するために、可聴音源が位置する部屋の壁に塗布される音響塗料。音響塗料は、共鳴周波数を有する粉末化圧電材料又は粉末化非圧電結晶性材料が中に混合された塗料基体を含むため、粉末化材料が室内で発生した音に反応して、これにより、材料の種類及びこれの共鳴周波数に応じて部屋の音響を制御する。導電性粉末化黒鉛又は粉末化グラフェンなどの任意選択的な触媒が、塗料基体中に混合される。混合物を撹拌し、次いでブラシ又はローラーなどによって部屋の壁に塗布する。【特許請求の範囲】
【請求項１】
部屋の音響特性を改善し、これにより音源によって発生し、室内の聴取者によって検知される音の明瞭度を改善するために、可聴音源が配置されている前記部屋の少なくとも幾つかの壁に塗布される音響塗料であって、
塗料基体と、
共鳴周波数を有する粉末化結晶性材料であって、前記音源によって発生した音に応答するように前記塗料基体中に混合されている前記結晶性材料と
を含む、音響塗料。
【請求項２】
前記粉末化結晶性材料が圧電材料である、請求項１に記載の音響塗料。
【請求項３】
前記圧電材料が石英である、請求項２に記載の音響塗料。
【請求項４】
前記粉末化結晶性材料が、方解石、トルマリン及びカーボランダムからなる結晶性材料の群の１つである、請求項１に記載の音響塗料。
【請求項５】
音源によって発生した音に対する前記結晶性材料の反応の応答性を向上させるように、前記塗料基体中に前記結晶性材料と混合される導電性粉末化触媒をさらに含む、請求項１に記載の音響塗料。
【請求項６】
前記導電性粉末化触媒が黒鉛又はグラフェンのどちらか一方である、請求項５に記載の音響塗料。
【請求項７】
部屋の音響特性を改善し、音源によって発生し、室内の聴取者によって検知される音の明瞭度を改善するために、可聴音源が配置されている前記部屋の少なくとも１つの壁を処理する方法であって、
共鳴周波数を有する粉末化結晶性材料を塗料基体と組み合わせることによって音響塗料混合物を作製するステップ、及び
前記音響塗料混合物を前記部屋の少なくとも１つの壁に塗布するステップを含む、方法。
【請求項８】
前記粉末化結晶性材料が圧電材料である、請求項７に記載の方法。
【請求項９】
前記音響塗料混合物を前記部屋の少なくとも１つの壁に塗布するステップの前に、前記粉末化結晶性材料と前記塗料基体との混合物に導電性粉末化触媒を添加する追加のステップを含む、請求項７に記載の方法。
【請求項１０】
黒鉛又はグラフェンのどちらか一方から前記導電性粉末化触媒を選択する追加のステップを含む、請求項９に記載の方法。
【発明の詳細な説明】
【技術分野】
【０００１】
本発明は、部屋の壁に塗布して、室内で発生し、聴取者が聞く音の可聴明瞭度を改善することができる音響塗料に関する。音響塗料は、室内の音響を制御するために、音に反応する共鳴周波数を有する粉末圧電又は非圧電結晶材料を含む。
【背景技術】
【０００２】
聴取者は、音楽又は他のオーディオコンテンツを聴きながら室内にいることに気付くことがある。多くの場合、音はスピーカーから放出され、聴取者に向けて一方向に伝達される。即ち聴取者は、自分が音に囲まれていること、又は音が様々な方向から自分に向かって来ることを知らない場合がある。さらに、音が部屋の壁によって吸収されるか、又は歪み、それによって音の可聴明瞭度が悪影響を受けることがある。
【０００３】
従って、部屋の壁の一部又は全部を被覆することによって、室内の音響を制御し、スピーカーの使用不使用にかかわらず聴取者が聞く可聴明瞭度（例えば、温かさ、豊かさ及び詳細さ）を改善する、無害で美観上好ましい処理をすることが望ましい。同様に、聴取者にとって、音がよりリアル（即ち生）であるように思われ、聴取者のいる室内の様々な方向から聴取者に向かって来ることも望ましい。
【発明の概要】
【発明が解決しようとする課題】
【０００４】
一般に、部屋の壁の一部又は全部に塗布されて、部屋の音響特性と、室内で発生して聴取者の耳に伝達される可聴音の明瞭度（例えば温かさ、豊かさ及び詳細さ）を改善する音響塗料が開示されている。音響塗料は、粘稠な基剤又は基体として作用する、従来の壁処理塗料を含む。微粉化圧電又は非圧電結晶性材料が、塗料基体に混合される。塗料基体に添加される粉末化圧電又は非圧電材料は、材料の種類及び共鳴周波数に応じて部屋の音響を制御するために、室内で発生する音に反応できるように、共鳴周波数を有する。圧電材料又は非圧電材料と音との反応を向上させるために、任意選択的な導電性触媒を塗料基体に添加することもできる。一例として、触媒は、微粉化黒鉛又はグラフェンのいずれかであり得る。粉末化圧電又は非圧電材料及び粉末化触媒を塗料基体中に均一に混合し、得られた音響塗料混合物を次いでローラー又はブラシなどによって壁に塗布する。
【発明を実施するための形態】
【０００５】
部屋の音響特性を改善するために、部屋の壁に塗布される音響塗料の好ましい実施形態をここで開示する。即ち、可聴音源が位置する部屋の壁の一部又は全部が、室内で発生して聴取者の耳で検知される音の明瞭度を改善するために、音響塗料で被覆される。前述より、音は、聴取者が位置する部屋の壁が本発明の音響塗料で処理されていない場合よりも、聴取者にとってより温かく、より豊かで、より詳細に思われる。音はまた、聴取者にとってリアル（即ち生）であり、様々な方向から向かって来るように思われる。
【０００６】
音響塗料には、通例、部屋の壁を被覆するように塗布される従来の油性又はラテックス塗料が含まれる。この塗料は、音響制御粒子が添加される比較的粘稠な基体として作用する。塗料は、白色であっても、又は聴取者の美観上の要求に最も適合する色を有していてもよい。音響塗料を壁に塗布する前に、圧電材料又は非圧電材料のいずれかを塗料基体に混合する。塗料基体に混合される圧電材料の一例は、微粉化石英である。非圧電材料が塗料に添加される場合、このような材料は微粉化結晶性材料であることが好ましい。塗料基体への添加に好適である非圧電結晶材料の例としては、方解石、トルマリン及びカーボランダムが挙げられる。
【０００７】
塗料基体に添加される粉末化圧電材料又は非圧電材料は、室内で発生する音に反応できるように、共鳴周波数を有する必要がある。この目的のために、音響塗料の圧電材料又は非圧電材料は、材料の種類及びこれの共鳴周波数に応じて部屋の音響を制御するのに適している。
【０００８】
音響塗料の圧電材料又は非圧電材料と室内の音との反応を向上させるために、任意選択的な触媒を塗料基体に添加することもできる。触媒は、導電性特性を有することが好ましい。単なる例として、任意選択的な触媒は、微粉化グラファイト又はグラフェン材料である。
【０００９】
特定の一例として、本発明の音響塗料は、上記塗料基体と、処理される部屋の壁の被覆に使用される塗料基体の各オンスに対する、ここで説明する以下の成分との混合物を含む。塗料基体の各オンスにつき微結晶性粉末２．５グラムを添加する。上述したように、聴取者の耳で検知される音質は、結晶性粉末の共鳴周波数によって変わる。結晶性粉末は、４．０μｍ〜６０μｍの理想的な粒度分布を有する。塗料基体に添加される導電性触媒は、０．２５μｍ〜５．０μｍの理想的な粒度分布を有する微細ナノ黒鉛粉末０．１５グラムである。上述の成分は、これが塗料基体中に均一に混合されるまで撹拌される。次いで、得られた音響塗料混合物を塗料ブラシ又はローラーなどによってプライマー及び／又は仕上げ塗料として部屋の壁に塗布する。
【００１０】
上記の音響塗料混合物は、結晶性粉末をグラフィック粉末に結合させる粘稠な塗料基剤又は基体を含む。しかし、接着剤特性を有する他の基体（例えば粘性接着剤）を塗料基体に添加して、結晶性粉末と黒鉛粉末の組み合わせの相互への付着及び部屋の壁への付着を補助することができる。壁紙を音響塗料でコーティングし、次に音響塗料で処理した壁紙で部屋の壁を被覆することも、本発明の範囲内である。
【国際調査報告】
2019501269.tif 000002
2019501269.tif 000003
2019501269.tif 000004